(57)【特許請求の範囲】
【請求項１】
フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置において、
前記光ディスク媒体をディスク装着部に装着するディスク装着手段と、
装着した前記光ディスク媒体を回転させるディスク回転手段と、
前記光ディスク媒体に記憶された情報を光学的に読み取るピックアップと、
前記ピックアップを前記光ディスク媒体の半径方向に移動させるピックアップ移動手段と、
前記光ディスク媒体の種類を判別するディスク判別手段と、
前記装置内に装着された前記光ディスク媒体が、前記ディスクカートリッジ入りか否かを検出するディスクカートリッジ検出手段と、
前記ディスクカートリッジが、前記作動距離の短い前記光ディスク媒体専用の専用カートリッジか、前記専用カートリッジ以外のカートリッジかを識別するカートリッジ識別手段と、
前記ディスク判別手段が前記作動距離の短い前記光ディスク媒体であると判別し、かつ前記ディスクカートリッジ検出手段が前記ディスクカートリッジ入りであることを検出し、かつ前記カートリッジ識別手段が前記専用カートリッジ以外のカートリッジであることを識別した場合には、前記ピックアップの移動範囲を規制する規制手段と、
を備えることを特徴とする光ディスク記録再生装置。
【請求項２】
フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置において、
前記光ディスク媒体をディスク装着部に装着するディスク装着手段と、
装着した前記光ディスク媒体を回転させるディスク回転手段と、
前記光ディスク媒体に記憶された情報を光学的に読み取るピックアップと、
前記ピックアップを前記光ディスク媒体の半径方向に移動させるピックアップ移動手段と、
前記光ディスク媒体の種類を判別するディスク判別手段と、
前記装置内に装着された前記光ディスク媒体が、前記ディスクカートリッジ入りか否かを検出するディスクカートリッジ検出手段と、
前記ディスクカートリッジが、前記作動距離の短い前記光ディスク媒体専用の専用カートリッジか、前記専用カートリッジ以外のカートリッジかを識別するカートリッジ識別手段と、
前記ディスク判別手段が前記作動距離の短い前記光ディスク媒体であると判別し、かつ前記ディスクカートリッジ検出手段が前記ディスクカートリッジ入りであることを検出し、かつ前記カートリッジ識別手段が前記専用カートリッジ以外のカートリッジであることを識別した場合には、起動処理を停止する起動処理停止手段と、
を備えることを特徴とする光ディスク記録再生装置。
【請求項３】
請求項１または請求項２に記載の光ディスク記録再生装置において、
前記専用カートリッジが専用カートリッジ検出孔を備え、前記カートリッジ識別手段では、前記専用カートリッジ検出孔の有無で前記専用カートリッジか前記専用カートリッジ以外のカートリッジかを識別すること、
を特徴とする光ディスク記録再生装置。
【請求項４】
請求項１または請求項２に記載の光ディスク記録再生装置において、
前記カートリッジ識別手段では、前記光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して前記専用カートリッジか前記専用カートリッジ以外のカートリッジかを識別すること、
を特徴とする光ディスク記録再生装置。
【請求項５】
請求項１に記載の光ディスク記録再生装置において、
前記規制手段では、前記ピックアップを前記光ディスク媒体の外周部に割り当てられた交替領域に移動しないように規制すること、
を特徴とする光ディスク記録再生装置。
【請求項６】
フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置のピックアップ保護方法において、
前記光ディスク媒体をディスク装着部に装着するステップと、
装着した前記光ディスク媒体を回転させるステップと、
前記光ディスク媒体の種類を判別するステップと、
前記装置内に装着された前記光ディスク媒体が、前記ディスクカートリッジ入りか否かを検出するステップと、
前記ディスクカートリッジが、前記作動距離の短い前記光ディスク媒体専用の専用カートリッジか、前記専用カートリッジ以外のカートリッジかを識別するステップと、
前記光ディスク媒体が前記作動距離の短い前記光ディスク媒体であると判別し、かつ前記光ディスク媒体が前記ディスクカートリッジ入りであることを検出し、かつ前記ディスクカートリッジが前記専用カートリッジ以外のカートリッジであることを識別した場合には、前記光ディスク媒体に記憶された情報を光学的に読み取るピックアップの移動範囲を規制するステップと、
を含むことを特徴とする光ディスク記録再生装置のピックアップ保護方法。
【請求項７】
フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置のピックアップ保護方法において、
前記光ディスク媒体をディスク装着部に装着するステップと、
装着した前記光ディスク媒体を回転させるステップと、
前記光ディスク媒体の種類を判別するステップと、
前記装置内に装着された前記光ディスク媒体が、前記ディスクカートリッジ入りか否かを検出するステップと、
前記ディスクカートリッジが、前記作動距離の短い前記光ディスク媒体専用の専用カートリッジか、前記専用カートリッジ以外のカートリッジかを識別するステップと、
前記光ディスク媒体が前記作動距離の短い前記光ディスク媒体であると判別し、かつ前記光ディスク媒体が前記ディスクカートリッジ入りであることを検出し、かつ前記ディスクカートリッジが前記専用カートリッジ以外のカートリッジであることを識別した場合には、起動処理を停止するステップと、
を含むことを特徴とする光ディスク記録再生装置のピックアップ保護方法。
【請求項８】
請求項６または請求項７に記載の光ディスク記録再生装置のピックアップ保護方      法において、
前記専用カートリッジが専用カートリッジ検出孔を備え、前記カートリッジ識別手段では、前記専用カートリッジ検出孔の有無で前記専用カートリッジか前記専用カートリッジ以外のカートリッジかを識別するステップ、
を含むことを特徴とする光ディスク記録再生装置のピックアップ保護方法。
【請求項９】
請求項６または請求項７に記載の光ディスク記録再生装置のピックアップ保護方法において、
前記カートリッジ識別手段では、前記光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して前記専用カートリッジか前記専用カートリッジ以外のカートリッジかを識別するステップ、
を含むことを特徴とする光ディスク記録再生装置のピックアップ保護方法。
【請求項１０】
請求項６に記載の光ディスク記録再生装置のピックアップ保護方法において、
前記ピックアップの移動範囲を規制するステップでは、
前記ピックアップを前記光ディスク媒体の外周部に割り当てられた交替領域に移動しないように規制すること、
を特徴とする光ディスク記録再生装置のピックアップ保護方法。
【発明の詳細な説明】
【技術分野】
【０００１】
本発明は、光ディスク装置に係り、特にカートリッジに光ディスク媒体を装着した状態で、フォーカス合焦時のピックアップレンズとディスク面間の作動距離が短いディスクを使用した際にピックアップレンズやレンズプロテクタのディスクカートリッジの構造体に対する接触による損傷から保護するための制御を行う技術に関する。
【背景技術】
【０００２】
例えば、ＣＤ、ＤＶＤ、ブルーレイディスク等のディスク状記録媒体が装着される光ディスク装置においては、ディスク状記録媒体をトレーに載置して装置内に電動モーターにより引き込み装着する電動トレー方式、直接ディスク挿入口に挿入させるダイレクトスロットイン方式、装置のディスク回転機構ごと装置外に引き出し、ターンテーブルにボールチャッキングにより直接載置するスリムトレイ方式がある。また、前記した電動トレー方式には、シャッタ機構を備えた専用のカートリッジ、または、ケースに入れた状態のままトレー上に載置して装置内に装着し、装置の機構によりシャッタ機構を開閉して動作させることができるカートリッジ対応の電動トレー方式も家電分野や一部の情報機器分野では存在する。カートリッジ対応電動トレー方式に対応するカートリッジは、現在市場で主流なＤＶＤ−ＲＡＭ規格のカートリッジと、初期のブルーレイディスク記録装置で採用されていたＢＤ  Ｖｅｒ．１専用カートリッジがあるが、近年ではブルーレイディスクは記録面のコーティング技術が進み、裸のベアディスクが主流となっており、入手が困難になりつつあり価格も高価である。
【発明の概要】
【発明が解決しようとする課題】
【０００３】
このため、ＤＶＤ−ＲＡＭ規格のカートリッジにブルーレイディスクを入れて使用する例があるが、この場合ブルーレイディスクでは、ピックアップレンズまたはレンズを保護するためにレンズよりも高い位置に設けられたレンズプロテクタと、ディスクのフォーカス合焦時の距離がその光学設計上ＤＶＤ−ＲＡＭなどのＤＶＤや、ＣＤと比較して短い。そのため、ブルーレイディスクは、ＤＶＤ−ＲＡＭカートリッジのシャッタ機構の下にあり、ピックアップがディスク外周付近に移動した際に相対するブリッジ構造部分に接触する恐れがあり、接触した場合にはピックアップのアクチェータコイルを損傷したり、ピックアップレンズにダメージを与えてしまう恐れがある。
【０００４】
そこで、本発明はピックアップレンズ、レンズプロテクタがディスクカートリッジの構造体に接触して損傷することを防止する光ディスク記録再生装置及び光ディスク記録再生装置のピックアップ保護方法を提供することを目的とする。
【課題を解決するための手段】
【０００５】
第１の発明による光ディスク記録再生装置は、フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置において、前記光ディスク媒体をディスク装着部に装着するディスク装着手段と、装着した前記光ディスク媒体を回転させるディスク回転手段と、前記光ディスク媒体に記憶された情報を光学的に読み取るピックアップと、前記ピックアップを前記光ディスク媒体の半径方向に移動させるピックアップ移動手段と、前記光ディスク媒体の種類を判別するディスク判別手段と、前記装置内に装着された前記光ディスク媒体が、前記ディスクカートリッジ入りか否かを検出するディスクカートリッジ検出手段と、前記ディスクカートリッジが、前記作動距離の短い前記光ディスク媒体専用の専用カートリッジか、前記専用カートリッジ以外のカートリッジかを識別するカートリッジ識別手段と、前記ディスク判別手段が前記作動距離の短い前記光ディスク媒体であると判別し、かつ前記ディスクカートリッジ検出手段が前記ディスクカートリッジ入りであることを検出し、かつ前記カートリッジ識別手段が前記専用カートリッジ以外のカートリッジであることを識別した場合には、前記ピックアップの移動範囲を規制する規制手段と、を備えることを特徴とする。
第２の発明による光ディスク記録再生装置は、フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置において、前記光ディスク媒体をディスク装着部に装着するディスク装着手段と、装着した前記光ディスク媒体を回転させるディスク回転手段と、前記光ディスク媒体に記憶された情報を光学的に読み取るピックアップと、前記ピックアップを前記光ディスク媒体の半径方向に移動させるピックアップ移動手段と、前記光ディスク媒体の種類を判別するディスク判別手段と、前記装置内に装着された前記光ディスク媒体が、前記ディスクカートリッジ入りか否かを検出するディスクカートリッジ検出手段と、前記ディスクカートリッジが、前記作動距離の短い前記光ディスク媒体専用の専用カートリッジか、前記専用カートリッジ以外のカートリッジかを識別するカートリッジ識別手段と、前記ディスク判別手段が前記作動距離の短い前記光ディスク媒体であると判別し、かつ前記ディスクカートリッジ検出手段が前記ディスクカートリッジ入りであることを検出し、かつ前記カートリッジ識別手段が前記専用カートリッジ以外のカートリッジであることを識別した場合には、起動処理を停止する起動処理停止手段と、を備えることを特徴とする。
第３の発明は、第１または第２に記載の光ディスク記録再生装置において、前記専用カートリッジが専用カートリッジ検出孔を備え、前記カートリッジ識別手段では、前記専用カートリッジ検出孔の有無で前記専用カートリッジか前記専用カートリッジ以外のカートリッジかを識別すること、を特徴とする。
第４の発明は、第１または第２に記載の光ディスク記録再生装置において、前記カートリッジ識別手段では、前記光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して前記専用カートリッジか前記専用カートリッジ以外のカートリッジかを識別すること、を特徴とする。
第５の発明は、第１に記載の光ディスク記録再生装置において、前記規制手段では、前記ピックアップを前記光ディスク媒体の外周部に割り当てられた交替領域に移動しないように規制すること、を特徴とする。
第６の発明による光ディスク記録再生装置のピックアップ保護方法は、フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置のピックアップ保護方法において、前記光ディスク媒体をディスク装着部に装着するステップと、装着した前記光ディスク媒体を回転させるステップと、前記光ディスク媒体の種類を判別するステップと、前記装置内に装着された前記光ディスク媒体が、前記ディスクカートリッジ入りか否かを検出するステップと、前記ディスクカートリッジが、前記作動距離の短い前記光ディスク媒体専用の専用カートリッジか、前記専用カートリッジ以外のカートリッジかを識別するステップと、前記光ディスク媒体が前記作動距離の短い前記光ディスク媒体であると判別し、かつ前記光ディスク媒体が前記ディスクカートリッジ入りであることを検出し、かつ前記ディスクカートリッジが前記専用カートリッジ以外のカートリッジであることを識別した場合には、前記光ディスク媒体に記憶された情報を光学的に読み取るピックアップの移動範囲を規制するステップと、を含むことを特徴とする。
第７の発明による光ディスク記録再生装置のピックアップ保護方法は、フォーカス合焦時のピックアップレンズとディスク面間の作動距離が異なる複数種類の光ディスク媒体を記録または再生可能で、ディスクカートリッジ入りの前記光ディスク媒体及び前記ディスクカートリッジ無しの前記光ディスク媒体のいずれにも対応する光ディスク記録再生装置のピックアップ保護方法において、前記光ディスク媒体をディスク装着部に装着するステップと、装着した前記光ディスク媒体を回転させるステップと、前記光ディスク媒体の種類を判別するステップと、前記装置内に装着された前記光ディスク媒体が、前記ディスクカートリッジ入りか否かを検出するステップと、前記ディスクカートリッジが、前記作動距離の短い前記光ディスク媒体専用の専用カートリッジか、前記専用カートリッジ以外のカートリッジかを識別するステップと、前記光ディスク媒体が前記作動距離の短い前記光ディスク媒体であると判別し、かつ前記光ディスク媒体が前記ディスクカートリッジ入りであることを検出し、かつ前記ディスクカートリッジが前記専用カートリッジ以外のカートリッジであることを識別した場合には、起動処理を停止するステップと、を含むことを特徴とする。
第８の発明は、第６または第７に記載の光ディスク記録再生装置のピックアップ保護方法において、前記専用カートリッジが専用カートリッジ検出孔を備え、前記カートリッジ識別手段では、前記専用カートリッジ検出孔の有無で前記専用カートリッジか前記専用カートリッジ以外のカートリッジかを識別するステップ、を含むことを特徴とする。
第９の発明は、第６または第７に記載の光ディスク記録再生装置のピックアップ保護方法において、前記カートリッジ識別手段では、前記光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して前記専用カートリッジか前記専用カートリッジ以外のカートリッジかを識別するステップ、を含むことを特徴とする。
第１０の発明は、第６に記載の光ディスク記録再生装置のピックアップ保護方法において、前記ピックアップの移動範囲を規制するステップでは、前記ピックアップを前記光ディスク媒体の外周部に割り当てられた交替領域に移動しないように規制すること、を特徴とする。
【発明の効果】
【０００６】
以上のように本発明によれば、ピックアップレンズやレンズ基台、レンズプロテクタがディスクカートリッジの構造体に接触することを防止して、ピックアップの損傷を防止することができる光ディスク記録再生装置および光ディスク記録再生装置のピックアップ保護方法を提供することができる。
【図面の簡単な説明】
【０００７】
【図１】本発明の一実施例による光ディスク記録再生装置を機能実現手段で表したブロック図
【図２】同装置にディスクカートリッジ入りの光ディスク媒体を装着する場合の斜視図
【図３】同装置にディスクカートリッジ無しの光ディスク媒体を装着する場合の斜視図
【図４】同装置が光ディスク媒体を装着して起動処理が完了するまでの動作を示すフローチャート
【図５】同装置のディスクカートリッジのブリッジ構造体を示す要部斜視図
【図６】同装置のＤＶＤ−ＲＡＭカートリッジのブリッジ構造体と、ピックアップレンズ、レンズプロテクタの位置関係を示す図
【図７】同装置のブルーレイディスク専用カートリッジのブリッジ構造体と、ピックアップレンズ、レンズプロテクタの位置関係を示す図
【図８】本発明の他の実施例による光ディスク記録再生装置をブルーレイディスク装置に適用した場合のブロック図
【図９】同装置が光ディスク媒体を装着して起動処理が完了するまでの動作を示すフローチャート
【図１０】本発明の更に他の実施例による光ディスク記録再生装置が光ディスク媒体を装着して起動処理が完了するまでの動作を示すフローチャート
【図１１】本発明の更に他の実施例による光ディスク記録再生装置が光ディスク媒体を装着して起動処理が完了するまでの動作を示すフローチャート
【符号の説明】
【０００８】
１０１  光ディスク媒体
１０２  ディスク装着手段
１０３  ディスク回転手段（スピンドルモーター）
１０４  ターンテーブル
１０６  スピンドル制御回路
１０７  ピックアップ
１０７ａ  ピックアップ移動手段
１０８  ＣＤ、ＤＶＤレーザー制御回路
１０９  ＣＤ、ＤＶＤ２波長レーザーダイオード
１１０  ＣＤ、ＤＶＤ用カップリングレンズ
１１１  ＢＤ用カップリングレンズ
１１２  ＢＤレーザーダイオード
１１３  ＢＤレーザー制御回路
１１４  ＢＤ球面収差補正用レンズ
１１５  レンズ架台
１１６  ＣＤ、ＤＶＤ用ハーフミラー
１１７  ＢＤ用ハーフミラー
１１８  ＣＤ、ＤＶＤ用対物レンズ
１１９  ＢＤ用対物レンズ
１２０  ＣＤ、ＤＶＤ用受光素子
１２１  ＢＤ用受光素子
１２２  フォーカス駆動回路
１２３  トラッキング駆動回路
１２４  球面収差補正回路
１２５  信号処理回路
１２６  制御回路
１２７ａ、１２７ｂ  ＣＰＵ
１２８  チルト駆動回路
１２９  トラバース駆動回路
１３０  ディスクカートリッジ検出手段
１３１  カートリッジ識別手段
１３２  ディスク判別手段
１３３  規制手段
１３４  起動処理停止手段
２０１  光ディスク記録再生装置
２０２  トレイ
２０３  ディスクカートリッジ
２０４  シャッタ
５０１  ブリッジ構造体
５０２  レンズプロテクタ
７０１  ブリッジ構造体
【発明を実施するための形態】
【０００９】
本発明の第１の実施の形態による光ディスク記録再生装置は、光ディスク媒体をディスク装着部に装着するディスク装着手段と、装着した光ディスク媒体を回転させるディスク回転手段と、光ディスク媒体に記憶された情報を光学的に読み取るピックアップと、ピックアップを光ディスク媒体の半径方向に移動させるピックアップ移動手段と、光ディスク媒体の種類を判別するディスク判別手段と、装置内に装着された光ディスク媒体が、ディスクカートリッジ入りか否かを検出するディスクカートリッジ検出手段と、ディスクカートリッジが、作動距離の短い光ディスク媒体専用の専用カートリッジか、専用カートリッジ以外のカートリッジかを識別するカートリッジ識別手段と、ディスク判別手段が作動距離の短い光ディスク媒体であると判別し、かつディスクカートリッジ検出手段がディスクカートリッジ入りであることを検出し、かつカートリッジ識別手段が専用カートリッジ以外のカートリッジであることを識別した場合には、ピックアップの移動範囲を規制する規制手段と、を備えるものである。本実施の形態によれば、ディスク判別手段の判別結果により作動距離の短いディスクであると判別し、かつディスクカートリッジ検出手段がディスクカートリッジ入りであることを検出し、かつカートリッジ識別手段が専用カートリッジ以外のカートリッジであると識別した場合には、ピックアップ移動手段の移動範囲を規制するので、ピックアップレンズやレンズ基台、レンズプロテクタがディスクカートリッジの構造体に接触することを防止して、ピックアップの損傷を防止することができる。
本発明の第２の実施の形態による光ディスク記録再生装置は、光ディスク媒体をディスク装着部に装着するディスク装着手段と、装着した光ディスク媒体を回転させるディスク回転手段と、光ディスク媒体に記憶された情報を光学的に読み取るピックアップと、ピックアップを光ディスク媒体の半径方向に移動させるピックアップ移動手段と、光ディスク媒体の種類を判別するディスク判別手段と、装置内に装着された光ディスク媒体が、ディスクカートリッジ入りか否かを検出するディスクカートリッジ検出手段と、ディスクカートリッジが、作動距離の短い前記光ディスク媒体専用の専用カートリッジか専用カートリッジ以外のカートリッジかを識別するカートリッジ識別手段と、ディスク判別手段が作動距離の短い光ディスク媒体であると判別し、かつディスクカートリッジ検出手段がディスクカートリッジ入りであることを検出し、かつカートリッジ識別手段が専用カートリッジ以外のカートリッジであることを識別した場合には、起動処理を停止する起動処理停止手段と、を備えるものである。本実施の形態によれば、ディスク判別手段の判別結果により作動距離の短いディスクであると判別し、かつディスクカートリッジ検出手段がディスクカートリッジ入りであることを検出し、かつカートリッジ識別手段が専用カートリッジ以外のカートリッジであると識別した場合には、非対応ディスクとして起動処理を停止するので、ピックアップレンズやレンズ基台、レンズプロテクタがディスクカートリッジの構造体に接触することを防止して、ピックアップの損傷を防止することができる。
本発明の第３の実施の形態は、第１または第２の実施の形態による光ディスク記録再生装置において、専用カートリッジが専用カートリッジ検出孔を備え、カートリッジ識別手段では、専用カートリッジ検出孔の有無で専用カートリッジか専用カートリッジ以外のカートリッジかを識別するものである。本実施の形態によれば、カートリッジ識別手段は、ディスクカートリッジ内に入れられた光ディスク媒体に記録された形状変更カートリッジ専用ディスク識別情報の有無と、ディスクカートリッジ検出手段の検出結果とにより、専用ディスク識別情報あり、かつディスクカートリッジ入りの場合には形状変更カートリッジであると識別し、専用ディスク識別情報なし、かつディスクカートリッジ入りの場合には専用カートリッジ以外のカートリッジであると識別するので、ピックアップレンズやレンズ基台、レンズプロテクタがディスクカートリッジの構造体に接触することを防止して、ピックアップの損傷を防止することができる。
本発明の第４の実施の形態は、第１または第２の実施の形態による光ディスク記録再生装置において、カートリッジ識別手段では、光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して専用カートリッジか専用カートリッジ以外のカートリッジかを識別するものである。本実施の形態によれば、専用ディスク識別情報は、光ディスク媒体に形成されたＢＣＡ情報に含まれる識別文字列を含むので、ピックアップレンズやレンズ基台、レンズプロテクタがディスクカートリッジの構造体に接触することを防止して、ピックアップの損傷を防止することができる。
本発明の第５の実施の形態は、第１の実施の形態による光ディスク記録再生装置において、規制手段では、ピックアップを光ディスク媒体の外周部に割り当てられた交替領域に移動しないように規制するものである。本実施の形態によれば、ピックアップの移動範囲を光ディスク媒体の外周部に割り当てられた交替領域に移動しないように規制するので、ピックアップレンズやレンズ基台、レンズプロテクタがディスクカートリッジの構造体に接触することを防止して、ピックアップの損傷を防止することができる。
本発明の第６の実施の形態による光ディスク記録再生装置のピックアップ保護方法は、光ディスク媒体をディスク装着部に装着するステップと、装着した光ディスク媒体を回転させるステップと、光ディスク媒体の種類を判別するステップと、装置内に装着された光ディスク媒体が、ディスクカートリッジ入りか否かを検出するステップと、ディスクカートリッジが、作動距離の短い光ディスク媒体専用の専用カートリッジか、専用カートリッジ以外のカートリッジかを識別するステップと、光ディスク媒体が作動距離の短い光ディスク媒体であると判別し、かつ光ディスク媒体がディスクカートリッジ入りであることを検出し、かつディスクカートリッジが専用カートリッジ以外のカートリッジであることを識別した場合には、光ディスク媒体に記憶された情報を光学的に読み取るピックアップの移動範囲を規制するステップと、を含むものである。本実施の形態によれば、ディスク判別手段の判別結果により作動距離の短いディスクであると判別し、かつディスクカートリッジ検出手段がディスクカートリッジ入りであることを検出し、かつカートリッジ識別手段が専用カートリッジ以外のカートリッジであると識別した場合には、ピックアップ移動手段の移動範囲を規制するので、ピックアップレンズやレンズ基台、レンズプロテクタがディスクカートリッジの構造体に接触することを防止して、ピックアップの損傷を防止することができる。
本発明の第７の実施の形態による光ディスク記録再生装置のピックアップ保護方法は、光ディスク媒体をディスク装着部に装着するステップと、装着した光ディスク媒体を回転させるステップと、光ディスク媒体の種類を判別するステップと、装置内に装着された光ディスク媒体が、ディスクカートリッジ入りか否かを検出するステップと、ディスクカートリッジが、作動距離の短い光ディスク媒体専用の専用カートリッジか、専用カートリッジ以外のカートリッジかを識別するステップと、光ディスク媒体が作動距離の短い光ディスク媒体であると判別し、かつ光ディスク媒体がディスクカートリッジ入りであることを検出し、かつディスクカートリッジが専用カートリッジ以外のカートリッジであることを識別した場合には、起動処理を停止するステップと、を含むものである。本実施の形態によれば、ディスク判別手段の判別結果により作動距離の短いディスクであると判別し、かつディスクカートリッジ検出手段がディスクカートリッジ入りであることを検出し、かつカートリッジ識別手段が専用カートリッジ以外のカートリッジであると識別した場合には、非対応ディスクとして起動処理を停止するので、ピックアップレンズやレンズ基台、レンズプロテクタがディスクカートリッジの構造体に接触することを防止して、ピックアップの損傷を防止することができる。
本発明の第８の実施の形態は、第６または第７の実施の形態による光ディスク記録再生装置において、専用カートリッジが専用カートリッジ検出孔を備え、カートリッジ識別手段では、専用カートリッジ検出孔の有無で専用カートリッジか専用カートリッジ以外のカートリッジかを識別するステップ、を含むものである。本実施の形態によれば、カートリッジ識別手段は、ディスクカートリッジ内に入れられた光ディスク媒体に記録された形状変更カートリッジ専用ディスク識別情報の有無と、ディスクカートリッジ検出手段の検出結果とにより、専用ディスク識別情報あり、かつディスクカートリッジ入りの場合には形状変更カートリッジであると識別し、専用ディスク識別情報なし、かつディスクカートリッジ入りの場合には専用カートリッジ以外のカートリッジであると識別するので、ピックアップレンズやレンズ基台、レンズプロテクタがディスクカートリッジの構造体に接触することを防止して、ピックアップの損傷を防止することができる。
本発明の第９の実施の形態は、第６または第７の実施の形態による光ディスク記録再生装置において、カートリッジ識別手段では、光ディスク媒体のＢＣＡ（Ｂｕｒｓｔ  Ｃｕｔ  Ａｒｅａ）に記録された識別情報やＰＣＡ（Ｐｏｗｅｒ  Ｃａｒｉｂｒａｔｉｏｎ  Ａｒｅａ）に記録された識別情報を読み出して専用カートリッジか専用カートリッジ以外のカートリッジかを識別するステップ、を含むものである。本実施の形態によれば、専用ディスク識別情報は、光ディスク媒体に形成されたＢＣＡ情報に含まれる識別文字列を含むので、ピックアップレンズやレンズ基台、レンズプロテクタがディスクカートリッジの構造体に接触することを防止して、ピックアップの損傷を防止することができる。
本発明の第１０の実施の形態は、第６の実施の形態による光ディスク記録再生装置において、ピックアップの移動範囲を規制するステップでは、ピックアップを光ディスク媒体の外周部に割り当てられた交替領域に移動しないように規制するものである。本実施の形態によれば、ピックアップの移動範囲をブルーレイディスクの外周部に割り当てられた交替領域に移動しないように規制するので、ピックアップレンズやレンズ基台、レンズプロテクタがディスクカートリッジの構造体に接触することを防止して、ピックアップの損傷を防止することができる。
【実施例１】
【００１０】
以下に本発明の光ディスク記録再生装置および光ディスク記録再生装置のピックアップ保護方法の実施の形態を図面と共に詳細に説明する。
本発明の一実施例による光ディスク記録再生装置について図１から図７を用いて説明する。
図１は本実施例による光ディスク記録再生装置を機能実現手段で表したブロック図、図２は同装置にディスクカートリッジ入りの光ディスク媒体を装着する場合を示す斜視図、図３は同装置にディスクカートリッジ無しの光ディスク媒体を装着する場合を示す斜視図、図４は本実施例による光ディスク記録再生装置が光ディスク媒体を装着して起動処理が完了するまでの動作を示すフローチャート、図５は本実施例で用いるディスクカートリッジのブリッジ構造体を示す要部斜視図、図６は第１のカートリッジ（ＤＶＤ−ＲＡＭカートリッジ）のブリッジ構造体と、ピックアップレンズ、レンズプロテクタの位置関係を示す図、図７は第２のカートリッジ（ブルーレイディスク専用カートリッジ）のブリッジ構造体と、ピックアップレンズ、レンズプロテクタの位置関係を示す図である。
【００１１】
本実施例は、ブルーレイディスク（以降ＢＤと略す。）装置に適用した場合である。ＢＤ装置は、一般に、ＣＤ、ＤＶＤ、ＢＤ規格のディスクを記録・再生可能である。光ディスク媒体１０１は、たとえば光ディスクであり、一般には、ＣＤ、ＤＶＤ、ＢＤ、ＨＤ  ＤＶＤ規格の光ディスクなどがある。ディスク装着手段１０２は、たとえばターンテーブル１０４と嵌合する円形のクランパである。ターンテーブル１０４またはディスク装着手段１０２のいずれかに磁性体が組み込まれ、この磁力により光ディスク媒体１０１はターンテーブル１０４とディスク装着手段１０２との間に挟持される。また、本実施例による光ディスク記録再生装置２０１は、ディスクローディング機構を備えており、図３に示すようにトレイ２０２上に光ディスク媒体１０１を直接載置してローディングする方法と、図２に示すようにディスクカートリッジ２０３内に入れた光ディスク媒体１０１をディスクカートリッジ２０３ごとトレイ２０２上に載置してローディングする方法が可能になっている。光ディスク媒体１０１をディスクカートリッジ２０３ごとローディングする方法では、ローディング機構によりディスクカートリッジ２０３のシャッタ２０４を開閉させてディスク装着手段１０２によりターンテーブル１０４に光ディスク媒体１０１を装着する。
【００１２】
ディスク回転手段１０３は、たとえばスピンドルモーターである。スピンドルモーター１０３は、スピンドル制御回路１０６の制御によりターンテーブル１０４を回転させる。ピックアップ１０７は、ＣＤ、ＤＶＤ系とＢＤ系の２系統の光学系を備える。ＣＤ、ＤＶＤ系の光学系は、ＣＤ、ＤＶＤレーザー制御回路１０８、ＣＤ、ＤＶＤ２波長レーザーダイオード１０９、ＣＤ、ＤＶＤ用カップリングレンズ１１０、ＣＤ、ＤＶＤ用ハーフミラー１１６、ＣＤ、ＤＶＤ用対物レンズ１１８、ＣＤ、ＤＶＤ用受光素子１２０で構成される。また、ＢＤ用の光学系も同様に、ＢＤレーザー制御回路１１３、ＢＤレーザーダイオード１１２、ＢＤ用カップリングレンズ１１１、ＢＤ球面収差補正用レンズ１１４、ＢＤ用ハーフミラー１１７、ＢＤ用対物レンズ１１９、ＢＤ用受光素子１２１で構成される。ＢＤ球面収差補正用レンズ１１４は、小型ステッピングモーター（図示しない）と、球面収差補正回路１２４により駆動され、ＢＤの２層ディスクにおける層間距離（７５μｍ、１００μｍ）による球面収差を補正する。また、ＣＤ、ＤＶＤ用対物レンズ１１８とＢＤ用対物レンズ１１９は同一のレンズ架台１１５上に設置されており、アクチュエータによりフォーカス、トラッキング方向に駆動される。本実施例ではＣＤ、ＤＶＤ系とＢＤ系の光路が独立して構成された例を図示しているが、小型化のために一部の光路を共有する形で構成することも可能である。また、対物レンズをＣＤ、ＤＶＤ系とＢＤ系で共有して１個の対物レンズで構成してもよい。
【００１３】
フォーカス駆動回路１２２は、レンズ架台１１５をフォーカスアクチュエータコイル（図示しない）によりフォーカス方向に駆動する。トラッキング駆動回路１２３は、レンズ架台１１５をトラッキング方向にトラッキングアクチュエータコイル（図示しない）により駆動する。チルト駆動回路１２８は、レンズ架台１１５を半径傾斜方向にチルトアクチュエータコイル（図示しない）により駆動する。
ＣＤ、ＤＶＤレーザー制御回路１０８は、ＣＤ、ＤＶＤ２波長レーザーダイオード１０９を制御して適正なレベルでＣＤ、ＤＶＤ再生用レーザーを発光させる。ＢＤレーザー制御回路１１３は同様にＢＤレーザーダイオード１１２を制御して適正なレベルでＢＤ再生用レーザーを発光させる。
発光されたＣＤ、ＤＶＤレーザーはＣＤ、ＤＶＤ用カップリングレンズ１１０を通って、ＣＤ、ＤＶＤ用ハーフミラー１１６を経由してＣＤ、ＤＶＤ用対物レンズ１１８により集光される。発光されたＢＤレーザーは、ＢＤ用カップリングレンズ１１１を通って、ＢＤ用ハーフミラー１１７を経由してＢＤ用対物レンズ１１９により集光される。
光ディスク媒体１０１からのＣＤ、ＤＶＤ再生用レーザーの反射光は、ＣＤ、ＤＶＤ用ハーフミラー１１６を透過してＣＤ、ＤＶＤ用受光素子１２０で受光検出される。光ディスク媒体１０１からのＢＤ再生用レーザーの反射光は、ＢＤ用ハーフミラー１１７を透過してＢＤ用受光素子１２１で受光検出される。
ＣＤ、ＤＶＤ用受光素子１２０及びＢＤ用受光素子１２１で検出された信号は、信号処理回路１２５に送られる。信号処理回路１２５では、ＣＤ、ＤＶＤ、ＢＤなどのディスク毎に対応する信号処理方法を選択して、選択した信号処理方法に基づき、ＦＥ（フォーカスエラー）、ＴＥ（トラッキングエラー）、ＡＳ（オールサム・全加算）、ＲＦ（再生信号）などの信号を生成して制御回路１２６に送る。
トラバース駆動回路１２９は、ピックアップ移動手段１０７ａを駆動して、ピックアップ１０７を半径方向に駆動する。ピックアップ移動手段１０７ａは、たとえば、ステッピングモーター又はＤＣモーター、リードスクリュー、及びピックアップ１０７に取り付けられたラック、により構成される。
【００１４】
制御回路１２６は、たとえばデジタルシグナルプロセッサで受け取った信号をもとに、フォーカス駆動回路１２２、トラッキング駆動回路１２３、チルト駆動回路１２８を制御する。
また制御回路１２６は、信号処理回路１２５からのＲＦ信号により、データの再生、ＣＤ、ＤＶＤレーザー制御回路１０８とＢＤレーザー制御回路１１３との切り替え、スピンドル制御回路１０６を制御してディスク回転手段（スピンドルモーター）１０３の回転制御、及びトラバース駆動回路１２９の制御、をしてピックアップ１０７の半径方向への移動を行う。ＣＰＵ１２７ａは、信号処理回路１２５を制御して現在装着されていると思われる種類のディスクに最適な信号処理方法を選択すると共に、制御回路１２６に各種制御のパラメータ設定、動作指示などを行う。
ディスクカートリッジ検出手段１３０は、たとえば物理スイッチを用いて、ディスクカートリッジ２０３が物理スイッチを押しているか否かを検出し、ディスクカートリッジ２０３の有無をディスクカートリッジ２０３の有無を検出してＣＰＵ１２７ａにデータを送出する。
カートリッジ識別手段１３１は、たとえば物理スイッチを用いて、ディスクカートリッジ２０３に設けられた専用カートリッジ検出孔が物理スイッチを押しているか否かを検出し、専用カートリッジか、専用カートリッジ以外のカートリッジ（以降通常カートリッジという。）かを識別してＣＰＵ１２７ａにデータを送出する。
ここで、専用カートリッジとは、作動距離が短い光ディスク媒体への合焦時にもピックアップレンズまたはレンズプロテクタが接触しないように形状変更したカートリッジであり、専用カートリッジには専用カートリッジ検出孔が設けられている。通常カートリッジとは、作動距離が短い光ディスク媒体への合焦時にピックアップレンズまたはレンズプロテクタが接触する可能性のあるカートリッジであり、通常カートリッジには専用カートリッジ検出孔が設けられていない。専用カートリッジ検出孔があれば物理スイッチは押されず、専用カートリッジ検出孔がなければ物理スイッチは押される。
ＣＰＵ１２７ａは、光ディスク媒体１０１の種類を判別するディスク判別手段１３２と、ピックアップ１０７の移動範囲を規制する規制手段１３３とを有する。そして、ディスクカートリッジ検出手段１３０、カートリッジ識別手段１３１、及びディスク判別手段１３２のそれぞれの結果によって、規制手段１３３は制御回路１２６を介してトラバース駆動回路１２９に信号を送信し、ピックアップ１０７の移動範囲が規制される。ディスク判別手段１３２では、作動距離により、又は作動距離だけでなく反射光量など他の要素も加味して光ディスク媒体１０１の種類を判別する。
本発明に直接関係ないので詳細な説明は省略するが、ディスク判別には、上記したディスクの規格毎の作動距離の違いによる反射光が検出される位置情報のみでなく、反射光の光量や各種サーボ信号なども用いられることは言うまでもない。
【００１５】
次に、本実施例による光ディスク記録再生装置の動作について説明する。
一連の動作は通常、ＣＰＵ１２７ａに予めプログラムされたソフトウエアにより実行される。
ステップ１にて、ディスク装着処理が行われる。ディスク装着処理は、光ディスク記録再生装置２０１のディスク装着手段１０２により行われる。光ディスク記録再生装置２０１は、ディスクローディング機構を備えており、図３に示すようにトレイ２０２上に光ディスク媒体１０１を直接載置してローディングする方法と、図２に示すようにディスクカートリッジ２０３内に入れた光ディスク媒体１０１をディスクカートリッジ２０３ごとトレイ２０２上に載置してローディングさせる方法が可能になっており、カートリッジ無しの光ディスク媒体１０１、カートリッジ入りの光ディスク媒体１０１のいずれにも対応できる。
【００１６】
次に、ディスク判別手段１３２によってディスク判別処理が行われる（ステップ２）。ディスク判別を行う一つの方法として、たとえばＢＤと、ＤＶＤ、ＣＤとのカバー層の厚さの違いを用いる。制御回路１２６からの信号によって、ＣＤ、ＤＶＤレーザー制御回路１０８とＢＤレーザー制御回路１１３とを切り替えてレーザーを発光するとともに、フォーカス駆動回路１２２を駆動してフォーカスサーチを行う。そして、ＣＤ、ＤＶＤ用受光素子１２０又はＢＤ用受光素子１２１で検出した信号を信号処理回路１２５で処理し、ディスク判別手段１３２では信号処理回路１２５からの信号を用いて光ディスク媒体１０１の種類を判別する。
【００１７】
以下に具体的に説明する。
まず、ＢＤレーザー制御回路１１３によってＢＤレーザーを発光し、フォーカス駆動回路１２２によってレンズ架台１１５を駆動し、フォーカスサーチを行う。フォーカスサーチを行うと、ディスク表面と記録層との反射光を検出する。ＤＢの記録層は、１層の場合ではディスク表面から０．１ｍｍの位置、２層の場合ではディスク表面から０．０７５ｍｍと０．１ｍｍの位置にあり、ＣＤ、ＤＶＤの記録層は、ディスク表面から１．２ｍｍの位置にあり、ＤＶＤの記録層は、ディスク表面から０．６ｍｍの位置にある。
ＢＤの光学系は、作動距離が約０．３ｍｍで設計されている。従って、ＢＤレーザーでフォーカスサーチを行うと、レンズがディスクに衝突するまでサーチを行っても、光ディスク媒体１０１がＣＤ、ＤＶＤの場合には、ディスク表面の反射光しか検出しないため、ＢＤと、ＣＤ、ＤＶＤとの判別を行うことができる。
ＢＤレーザーでフォーカスサーチを行うことで、ＢＤと判別された場合には、その層数や、ＢＤ−Ｒ、−ＲＥ、−ＲＯＭの種別を判別する。ＢＤレーザーでフォーカスサーチを行うことで、ＣＤまたはＤＶＤと判別された場合は、ＣＤ、ＤＶＤレーザーでフォーカスサーチを行うことで、ＣＤまたはＤＶＤの区別やＤＶＤ規格のディスクの種類や層数（ＤＶＤ−Ｒ，−ＲＷ、＋Ｒ、＋ＲＷ、−ＲＡＭなど）、ＣＤ規格の種類（ＣＤ−ＲＯＭ、ＣＤ−Ｒ、ＣＤ−ＲＷ）を判別してそれぞれのディスク種別に最適なレーザー回路、信号処理系、内部ゲインが選択される。
【００１８】
そして、ディスク判別手段１３２によって作動距離の短い光ディスク媒体１０１であるか否かを判別する（ステップ３）。作動距離はディスク種別や光学系の設計により異なるが、一般にカバー層が０．１ｍｍと薄くＮＡ値の大きいＢＤは作動距離が約０．３ｍｍと非常に短く設計されており、これに比べてＣＤ、ＤＶＤは作動距離が０．５〜０．６ｍｍと比較的長く設計されている。本実施例では、作動距離の短い光ディスク媒体１０１がＢＤであるとして説明する。
ステップ３で作動距離の短いＢＤであると判別した場合には、ディスクカートリッジ検出手段１３０によって、ディスクカートリッジ２０３入りの光ディスク媒体１０１か、ディスクカートリッジ２０３無しの光ディスク媒体１０１であるかを検出する（ステップ４）。ディスクカートリッジ２０３は、図２のようにトレイ２０２上に円形の光ディスク媒体１０１が載置される範囲外までの外形であるので、トレイ２０２上のディスク載置範囲外に物理的スイッチを設けることで、ディスクカートリッジ２０３の有無を検出することができる。この物理的スイッチの状態を、ＣＰＵ１２７ａにて検出する。ディスクカートリッジ２０３入りである場合には、カートリッジ識別手段１３１によって、このディスクカートリッジ２０３が作動距離の短いＢＤ専用カートリッジであるか否かを識別する。
【００１９】
ピックアップ１０７のレンズ架台１１５には、図６及び図７に示すように、一般的にはレンズ保護のために対物レンズ１１８、１１９よりも高い位置にレンズプロテクタ５０２が設けられている。また、対物レンズ１１８、１１９は、レンズ中心から周辺部まで一定の距離があり、ディスク最外周のデータを読み取る際には、対物レンズ１１８、１１９の外形やレンズプロテクタ５０２は、ディスク最外周よりも外側にはみ出すことになる。更に、光ディスク媒体１０１やターンテーブル１０４には面ブレがあり、合焦状態を維持するためにフォーカス駆動回路１２２を制御してレンズ架台１１５を上下動させることが必要である。
一方、ディスクカートリッジ２０３は、従来ＤＶＤ−ＲＡＭディスク用に設計されたものであり、作動距離０．３ｍｍという短いディスクを想定していないため、図５に示すように、一般的にディスク外周部外に相当する箇所に、構造補強のためのブリッジ構造体５０１を備えている。従って、ＤＶＤ−ＲＡＭ用ディスクカートリッジ入りのＢＤでは、光ディスク媒体１０１の最外周付近のデータを記録、再生する際には、面ブレが大きいと、このブリッジ構造体５０１に対物レンズ１１８、１１９やレンズプロテクタ５０２が衝突してしまう。また、ブリッジ構造体５０１は、単に薄くするだけでは必要な強度を得られなくなってしまう。
以上のことより、図７に示すように、ブリッジ構造体７０１は、レンズ架台１１５から遠ざかる方向にシフトした構造となっている。このＢＤ専用カートリッジは、ＤＶＤ−ＲＡＭ用ディスクカートリッジ（通常カートリッジ）との識別のためにトレイ２０２には専用カートリッジ検出孔が設けられており、専用カートリッジ検出孔に対応する位置にスイッチを設けることで専用カートリッジと通常カートリッジとを識別することができる。
【００２０】
本実施例では、カートリッジ識別手段１３１によって、カートリッジ有無スイッチが押された状態でかつ、専用カートリッジ検出孔に対応するスイッチが押されていない場合には専用カートリッジであると識別し、カートリッジ有無スイッチが押された状態でかつ、専用カートリッジ検出孔に対応するスイッチが押されている場合には通常ＤＶＤ−ＲＡＭカートリッジであると識別する。
通常ＤＶＤ−ＲＡＭカートリッジ入りのＢＤであると識別した場合には、規制手段１３３によってピックアップ１０７の移動範囲を規制する処理を行う（ステップ６）。
対物レンズ１１８、１１９やレンズプロテクタ５０２がブリッジ構造体５０１に衝突する位置は、設計寸法から予測される。従って、光ディスク媒体１０１の種類毎に、あらかじめピックアップ１０７の移動範囲を設定しておく。ピックアップ１０７の移動距離は、ステッピングモーターのステップ数で計測する。規格化されたＢＤでは、そのフォーマット上の最内周と最外周付近に、交替領域と呼ばれる、記録時などにエラーが発生した場合にその代替として使用する領域が定められている。これらの領域は、通常は記録エラーなどが発生しない限り使用することはない。従って、規制手段１３３は、ピックアップ１０７が、交替領域の内、最外周の領域のすべて又は一部に移動しないように移動範囲を規制する。
【００２１】
そして、ステップ７にて残りの起動処理や自動調整などを行って起動処理を完了する。
このステップ７での起動処理や調整処理は、ステップ６の規制処理の後に行うことが好ましい。なぜなら、起動処理や調整処理の中にはディスクの種類によっては最外周付近にピックアップ１０７を移動させる動作を伴うものがあり、フォーカスＯＮ状態で最外周位置にピックアップ１０７を移動させると、対物レンズ１１８、１１９やレンズプロテクタ５０２がブリッジ構造体５０１に衝突してアクチュエータコイルやレンズを損傷する恐れがあるからである。
起動処理や調整処理が行われる際に、ピックアップ１０７の移動規制が規制手段１３３によって行われている場合には、規制範囲へのピックアップ１０７の移動は行われない。従って、規制範囲への移動処理が起動処理や調整処理に含まれている場合は、規制手段１３３によって規制範囲でない最外周付近に移動するように移動変更処理が行われる。
また、起動後に、移動が規制されている領域へのＳＥＥＫ命令や、読み取り命令が発行された場合には、規制手段１３３によって、実際のＳＥＥＫ動作を行わず、ＳＥＥＫエラーや、ＲＥＡＤエラーを返す動作処理を行う。
【００２２】
規格化されたＢＤの記録可能な光ディスク媒体１０１では、使用の前に予め交替領域を確保するためのフォーマット処理が必要である。規制手段１３３によってピックアップ１０７の移動が規制されている場合には、規制手段１３３から制御回路１２６への指示によって交替領域が規制範囲を含むようにフォーマット処理を行う。このフォーマット処理によって、ユーザーデータが規制領域に記録されないようにすることができる。また、規制領域によって、交替領域の容量が不足する場合には、大きめに交替領域を確保するように、規制手段１３３から制御回路１２６に指示を行うことが好ましい。更に、フォーマット処理時に、規制範囲に位置する交換領域のアドレスを、予め使用不可の領域として記録することで、規制範囲へのピックアップ１０７の移動が生じない。
本実施例では、ＢＤ専用カートリッジを識別するカートリッジ識別手段１３１を備えた場合を例に説明したが、カートリッジ識別手段１３１を備えない場合でも同様に実施可能である。その場合、カートリッジがＢＤ専用カートリッジか、通常ＤＶＤ−ＲＡＭカートリッジかを識別することができないので、ディスク判別手段１３２によってカートリッジ入りのＢＤであると判別した場合には、上記と同様にピックアップ１０７の移動範囲を規制する処理を行えばよい。
【実施例２】
【００２３】
次に、本発明の光ディスク記録再生装置および光ディスク記録再生装置のピックアップ保護方法の他の実施例について図２，図３、図５から図９を用いて説明する。
図８は本実施例の光ディスク記録再生装置を、ブルーレイディスク（以降ＢＤ）装置に適用した場合のブロック図である。図８において、実施例１と同一の構成要素については同一であるので説明を省略する。図９は、本発明の光ディスク記録再生装置がディスクを装着して起動処理が完了するまでの動作を示すフローチャートで、一連の動作は通常、ＣＰＵ１２７ｂに予めプログラムされたソフトウエアにより実行される。
ＣＰＵ１２７ｂは、光ディスク媒体１０１の種類を判別するディスク判別手段１３２と、起動処理を停止する起動処理停止手段１３４とを有する。そして、ディスクカートリッジ検出手段１３０、カートリッジ識別手段１３１、及びディスク判別手段１３２のそれぞれの結果によって、起動処理停止手段１３４は制御回路１２６を介して起動処理を停止する。ディスク判別手段１３２では、作動距離により、又は作動距離だけでなく反射光量など他の要素も加味して光ディスク媒体１０１の種類を判別する。
本発明に直接関係ないので詳細な説明は省略するが、ディスク判別には、上記したディスクの規格毎の作動距離の違いによる反射光が検出される位置情報のみでなく、反射光の光量や各種サーボ信号なども用いられることは言うまでもない。
【００２４】
ステップ１にて、ディスク装着処理が行われる。ディスク装着処理は、光ディスク記録再生装置２０１のディスク装着手段１０２により行われる。光ディスク記録再生装置２０１は、ディスクローディング機構を備えており、図３に示すようにトレイ２０２上に光ディスク媒体１０１を直接載置してローディングする方法と、図２に示すようにディスクカートリッジ２０３内に入れた光ディスク媒体１０１をディスクカートリッジ２０３ごとトレイ２０２上に載置してローディングさせ、ＢＤ装置のローディング機構によりディスクカートリッジ２０３のシャッタ２０４を開閉させてディスク装着手段１０２によりターンテーブル１０４に装着する方法が可能になっており、カートリッジ無しの光ディスク媒体１０１、カートリッジ入りの光ディスク媒体１０１のいずれにも対応できる。
【００２５】
次に、ディスク判別手段１３２によってディスク判別処理が行われる（ステップ２）。ディスク判別を行う一つの方法として、たとえばＢＤと、ＤＶＤ、ＣＤとのカバー層の厚さの違いを用いる。制御回路１２６からの信号によって、ＣＤ、ＤＶＤレーザー制御回路１０８とＢＤレーザー制御回路１１３とを切り替えてレーザーを発光するとともに、フォーカス駆動回路１２２を駆動してフォーカスサーチを行う。そして、ＣＤ、ＤＶＤ用受光素子１２０又はＢＤ用受光素子１２１で検出した信号を信号処理回路１２５で処理し、ディスク判別手段１３２では信号処理回路１２５からの信号を用いて光ディスク媒体１０１の種類を判別する。
【００２６】
以下に具体的に説明する。
まず、ＢＤレーザー制御回路１１３によってＢＤレーザーを発光し、フォーカス駆動回路１２２によってレンズ架台１１５を駆動し、フォーカスサーチを行う。フォーカスサーチを行うと、ディスク表面と記録層との反射光を検出する。ＤＢの記録層は、１層の場合ではディスク表面から０．１ｍｍの位置、２層の場合ではディスク表面から０．０７５ｍｍと０．１ｍｍの位置にあり、ＣＤ、ＤＶＤの記録層は、ディスク表面から１．２ｍｍの位置にあり、ＤＶＤの記録層は、ディスク表面から０．６ｍｍの位置にある。
ＢＤの光学系は、作動距離が約０．３ｍｍで設計されている。従って、ＢＤレーザーでフォーカスサーチを行うと、レンズがディスクに衝突するまでサーチを行っても、光ディスク媒体１０１がＣＤ、ＤＶＤの場合には、ディスク表面の反射光しか検出しないため、ＢＤと、ＣＤ、ＤＶＤとの判別を行うことができる。
ＢＤレーザーでフォーカスサーチを行うことで、ＢＤと判別された場合には、その層数や、ＢＤ−Ｒ、ＲＥ、ＲＯＭの種別を判別する。ＢＤレーザーでフォーカスサーチを行うことで、ＣＤまたはＤＶＤと判別された場合は、ＣＤ、ＤＶＤレーザーでフォーカスサーチを行うことで、ＣＤまたはＤＶＤの区別やＤＶＤ規格のディスクの種類や層数（ＤＶＤ−Ｒ，−ＲＷ、＋Ｒ、＋ＲＷ、−ＲＡＭなど）、ＣＤ規格の種類（ＣＤ−ＲＯＭ、ＣＤ−Ｒ、ＣＤ−ＲＷ）を判別してそれぞれのディスク種別に最適なレーザー回路、信号処理系、内部ゲインが選択される。
【００２７】
そして、ディスク判別手段１３２によって作動距離の短い光ディスク媒体１０１であるか否かを判別する（ステップ３）。作動距離はディスク種別や光学系の設計により異なるが、一般にカバー層が０．１ｍｍと薄くＮＡ値の大きいＢＤは作動距離が約０．３ｍｍと非常に短く設計されており、これに比べてＣＤ、ＤＶＤは作動距離が０．５〜０．６ｍｍと比較的長く設計されている。本実施例では、作動距離の短い光ディスク媒体１０１がＢＤであるとして説明する。
ステップ３で作動距離の短いＢＤであると判別した場合には、ディスクカートリッジ検出手段１３０によって、ディスクカートリッジ２０３入りの光ディスク媒体１０１か、ディスクカートリッジ２０３無しの光ディスク媒体１０１であるかを検出する（ステップ４）。ディスクカートリッジ２０３は、図２のようにトレイ２０２上に円形の光ディスク媒体１０１が載置される範囲外までの外形であるので、トレイ２０２上のディスク載置範囲外に物理的スイッチを設けることで、ディスクカートリッジ２０３の有無を検出することができる。この物理的スイッチの状態を、ＣＰＵ１２７ｂにて検出する。ディスクカートリッジ２０３入りである場合には、カートリッジ識別手段１３１によって、このディスクカートリッジ２０３が作動距離の短いＢＤ専用カートリッジであるか否かを識別する。
【００２８】
ピックアップ１０７のレンズ架台１１５には、図６及び図７に示すように、一般的にはレンズ保護のために対物レンズ１１８、１１９よりも高い位置にレンズプロテクタ５０２が設けられている。また、対物レンズ１１８、１１９は、レンズ中心から周辺部まで一定の距離があり、ディスク最外周のデータを読み取る際には、対物レンズ１１８、１１９の外形やレンズプロテクタ５０２は、ディスク最外周よりも外側にはみ出すことになる。更に、光ディスク媒体１０１やターンテーブル１０４には面ブレがあり、合焦状態を維持するため、にフォーカス駆動回路１２２を制御してレンズ架台１１５を上下動させることが必要である。
一方、ディスクカートリッジ２０３は、従来ＤＶＤ−ＲＡＭディスク用に設計されたものであり、作動距離０．３ｍｍという短いディスクを想定していないため、図５に示すように、一般的にディスク外周部外に相当する箇所に、構造補強のためのブリッジ構造体５０１を備えている。従って、ＤＶＤ−ＲＡＭ用ディスクカートリッジ入りのＢＤでは、光ディスク媒体１０１の最外周付近のデータを記録、再生する際には、面ブレが大きいと、このブリッジ構造体５０１に対物レンズ１１８、１１９やレンズプロテクタ５０２が衝突してしまう。またブリッジ構造体５０１は、単に薄くするだけでは必要な強度を得られなくなってしまう。
以上のことより、図７に示すように、ブリッジ構造体７０１は、レンズ架台１１５から遠ざかる方向にシフトした構造となっている。このＢＤ専用カートリッジは、ＤＶＤ−ＲＡＭ用ディスクカートリッジ（通常カートリッジ）との識別のためにトレイ２０２には専用カートリッジ検出孔が設けられており、専用カートリッジ検出孔に対応する位置にスイッチを設けることで専用カートリッジと通常カートリッジとを識別することができる。
【００２９】
本実施例では、カートリッジ識別手段１３１によって、カートリッジ有無スイッチが押された状態でかつ、専用カートリッジ検出孔に対応するスイッチが押されていない場合には専用カートリッジであると識別し、カートリッジ有無スイッチが押された状態でかつ、専用カートリッジ検出孔に対応するスイッチが押されている場合には通常ＤＶＤ−ＲＡＭカートリッジであると識別する。
通常ＤＶＤ−ＲＡＭカートリッジ入りのＢＤであると識別した場合には、非対応のディスクとカートリッジの組み合わせが使用されているので、起動処理停止手段１３４によって起動処理を停止する処理を行う（ステップ１２）。
本実施例では、ＢＤ専用カートリッジを識別するカートリッジ識別手段１３１を備えた場合を例に説明したが、カートリッジ識別手段１３１を備えない場合でも同様に実施可能である。その場合、カートリッジがＢＤ専用カートリッジか、通常ＤＶＤ−ＲＡＭカートリッジかを識別することができないので、ディスク判別手段１３２によってカートリッジ入りのＢＤであると判別した場合には、ピックアップ１０７の損傷の可能性があるため、起動処理を停止する。
【実施例３】
【００３０】
次に、本発明の光ディスク記録再生装置および光ディスク記録再生装置のピックアップ保護方法の更に他の実施例について図１から図３、図５から図７および図１０を用いて説明する。
図１０は、本実施例の光ディスク記録再生装置がディスクを装着して起動処理が完了するまでの動作を示すフローチャートで、一連の動作は通常、ＣＰＵ１２７ａに予めプログラムされたソフトウエアにより実行される。
【００３１】
ステップ１にて、ディスク装着処理が行われる。ディスク装着処理は、光ディスク記録再生装置２０１のディスク装着手段１０２により行われる。光ディスク記録再生装置２０１は、ディスクローディング機構を備えており、図３に示すようにトレイ２０２上に光ディスク媒体１０１を直接載置してローディングする方法と、図２に示すようにディスクカートリッジ２０３内に入れた光ディスク媒体１０１をディスクカートリッジ２０３ごとトレイ２０２上に載置してローディングさせる方法が可能になっており、カートリッジ無しの光ディスク媒体１０１、カートリッジ入りの光ディスク媒体１０１のいずれにも対応できる。
【００３２】
次に、ディスク判別手段１３２によってディスク判別処理が行われる（ステップ２）。ディスク判別を行う一つの方法として、たとえばＢＤと、ＤＶＤ、ＣＤとのカバー層の厚さの違いを用いる。制御回路１２６からの信号によって、ＣＤ、ＤＶＤレーザー制御回路１０８とＢＤレーザー制御回路１１３とを切り替えてレーザーを発光するとともに、フォーカス駆動回路１２２を駆動してフォーカスサーチを行う。そして、ＣＤ、ＤＶＤ用受光素子１２０又はＢＤ用受光素子１２１で検出した信号を信号処理回路１２５で処理し、ディスク判別手段１３２では信号処理回路１２５からの信号を用いて光ディスク媒体１０１の種類を判別する。
【００３３】
以下に具体的に説明する。
まず、ＢＤレーザー制御回路１１３によってＢＤレーザーを発光し、フォーカス駆動回路１２２によってレンズ架台１１５を駆動し、フォーカスサーチを行う。フォーカスサーチを行うと、ディスク表面と記録層との反射光を検出する。ＤＢの記録層は、１層の場合ではディスク表面から０．１ｍｍの位置、２層の場合ではディスク表面から０．０７５ｍｍと０．１ｍｍの位置にあり、ＣＤ、ＤＶＤの記録層は、ディスク表面から１．２ｍｍの位置にあり、ＤＶＤの記録層は、ディスク表面から０．６ｍｍの位置にある。
ＢＤの光学系は、作動距離が約０．３ｍｍで設計されている。従って、ＢＤレーザーでフォーカスサーチを行うと、レンズがディスクに衝突するまでサーチを行っても、光ディスク媒体１０１がＣＤ、ＤＶＤの場合には、ディスク表面の反射光しか検出しないため、ＢＤと、ＣＤ、ＤＶＤとの判別を行うことができる。
ＢＤレーザーでフォーカスサーチを行うことで、ＢＤと判別された場合には、その層数や、ＢＤ−Ｒ、−ＲＥ、−ＲＯＭの種別を判別する。ＢＤレーザーでフォーカスサーチを行うことで、ＣＤまたはＤＶＤと判別された場合は、ＣＤ、ＤＶＤレーザーでフォーカスサーチを行うことで、ＣＤまたはＤＶＤの区別やＤＶＤ規格のディスクの種類や層数（ＤＶＤ−Ｒ，−ＲＷ、＋Ｒ、＋ＲＷ、−ＲＡＭなど）、ＣＤ規格の種類（ＣＤ−ＲＯＭ、ＣＤ−Ｒ、ＣＤ−ＲＷ）を判別してそれぞれのディスク種別に最適なレーザー回路、信号処理系、内部ゲインが選択される。
【００３４】
次に、ステップ２で判別された光ディスク媒体の種類に合わせた回路選択に基づいてサーボＯＮが行われ、ディスク情報読み取り処理が行われる（ステップ２１）。
この際に読み取るディスク情報は、後述するカートリッジ専用ディスクであるか否かを判別するための最低限度のものでよい。ディスク情報は、一般的には物理情報であるディスク種別や層数などの情報、論理情報であるディスク容量やフォーマット種別などの情報があるが、ここでは、予めディスクに記録されている、ディスクカートリッジ内に入れられた光ディスク媒体１０１であることを示す何らかの情報を読み出せばよい。たとえば、データ領域の更に内側に記録される書き換え不可能なＢＣＡ（Ｂｕｒｓｔ  Ｃｕｔ  Ａｒｅａ）に記録された識別情報（レーザー光によりストライプ状に反射膜を除去することにより記録した情報）や、ＰＣＡ（Ｐｏｗｅｒ  Ｃａｒｉｂｒａｔｉｏｎ  Ａｒｅａ）などのディスク最内周付近の特殊な領域に記録された識別情報（専用ディスクであることを示す特殊文字列）を記録しておき、それを読み出すことで実現される。識別情報には、光ディスク媒体１０１に記録を行った記録装置の機種情報を示す識別文字列を、通常のものとは異なる文字列に変更したものを含むことが好ましい。
【００３５】
そして、ディスク判別手段１３２によってブルーレイディスク作動距離の短い光ディスク媒体１０１であるか否かを判別する（ステップ３）。作動距離はディスク種別や光学系の設計により異なるが、一般にカバー層が０．１ｍｍと薄くＮＡ値の大きいＢＤは作動距離が約０．３ｍｍと非常に短く設計されており、これに比べてＣＤ、ＤＶＤは作動距離が０．５〜０．６ｍｍと比較的長く設計されている。本実施例では、作動距離の短い光ディスク媒体１０１がＢＤであるとして説明する。
ステップ３で作動距離の短いＢＤであると検出した場合には、ディスクカートリッジ検出手段１３０によって、ディスクカートリッジ２０３入りの光ディスク媒体１０１か、ディスクカートリッジ２０３無しの光ディスク媒体１０１であるかを判別する（ステップ４）。ディスクカートリッジ２０３は、図２のようにトレイ２０２上に円形の光ディスク媒体１０１が載置される範囲外までの外形であるので、トレイ２０２上のディスク載置範囲外に物理的スイッチを設けることで、ディスクカートリッジ２０３の有無を検出することができる。この物理的スイッチの状態を、ＣＰＵ１２７ａにて検出する。ディスクカートリッジ２０３入りである場合には、カートリッジ識別手段１３１によって、このディスクカートリッジ２０３が作動距離の短いＢＤ専用カートリッジであるか否かを識別する。
【００３６】
ピックアップ１０７のレンズ架台１１５には、図６及び図７に示すように、一般的にはレンズ保護のために対物レンズ１１８、１１９よりも高い位置にレンズプロテクタ５０２が設けられている。また、対物レンズ１１８、１１９は、レンズ中心から周辺部まで一定の距離があり、ディスク最外周のデータを読み取る際には、対物レンズ１１８、１１９の外形やレンズプロテクタ５０２は、ディスク最外周よりも外側にはみ出すことになる。更に、光ディスク媒体１０１やターンテーブル１０４には面ブレがあり、合焦状態を維持するため、にフォーカス駆動回路１２２を制御してレンズ架台１１５を上下動させることが必要である。
一方、ディスクカートリッジ２０３は、従来ＤＶＤ−ＲＡＭディスク用に設計されたものであり、作動距離０．３ｍｍという短いディスクを想定していないため、図５に示すように、一般的にディスク外周部外に相当する箇所に、構造補強のためのブリッジ構造体５０１を備えている。従って、ＤＶＤ−ＲＡＭ用ディスクカートリッジ入りのＢＤでは、光ディスク媒体１０１の最外周付近のデータを記録、再生する際には、面ブレが大きいと、このブリッジ構造体５０１に対物レンズ１１８、１１９やレンズプロテクタ５０２が衝突してしまう。また、ブリッジ構造体５０１は、単に薄くするだけでは必要な強度を得られなくなってしまう。
以上のことより、図７に示すように、ブリッジ構造体７０１は、レンズ架台１１５から遠ざかる方向にシフトした構造となっている。このＢＤ専用カートリッジは、ＤＶＤ−ＲＡＭ用ディスクカートリッジ（通常カートリッジ）との識別のためにトレイ２０２には専用カートリッジ検出孔が設けられており、専用カートリッジ検出孔に対応する位置にスイッチを設けることで専用カートリッジと通常カートリッジとを識別することができる。
【００３７】
本実施例では、カートリッジ識別手段１３１によって、カートリッジ有無スイッチが押された状態でかつ、専用カートリッジ検出孔に対応するスイッチが押されていない場合には専用カートリッジであると識別し、カートリッジ有無スイッチが押された状態でかつ、専用カートリッジ検出孔に対応するスイッチが押されている場合には通常ＤＶＤ−ＲＡＭカートリッジであると識別する。更にステップ２２にて、ディスクがカートリッジ専用ディスクであるか否かをステップ２１にて読み取ったディスク情報より判断する。
通常ＤＶＤ−ＲＡＭカートリッジ入りのＢＤであると識別した場合や、専用カートリッジ入りであってもディスクが専用ディスクでないと識別した場合には、規制手段１３３によってピックアップ１０７の移動範囲を規制する処理を行う（ステップ６）。
対物レンズ１１８、１１９やレンズプロテクタ５０２がブリッジ構造体５０１に衝突する位置は、設計寸法から予測される。従って、光ディスク媒体１０１の種類毎に、あらかじめピックアップ１０７の移動範囲を設定しておく。ピックアップ１０７の移動距離は、ステッピングモーターのステップ数で計測する。規格化されたＢＤでは、そのフォーマット上の最内周と最外周付近に、交替領域と呼ばれる、記録時などにエラーが発生した場合にその代替として使用する領域が定められている。これらの領域は、通常は記録エラーなどが発生しない限り使用することはない。従って、規制手段１３３は、ピックアップ１０７が、交替領域内、最外周の領域のすべて又は一部に移動しないように移動範囲を規制する。
【００３８】
そして、ステップ７にて残りの起動処理や自動調整などを行って起動処理を完了する。
このステップ７での起動処理や調整処理は、ステップ６の規制処理の後に行うことが好ましい。なぜなら、起動処理や調整処理の中にはディスクの種類によっては最外周付近にピックアップ１０７を移動させる動作を伴うものがあり、フォーカスＯＮ状態で最外周位置にピックアップ１０７を移動させると、対物レンズ１１８、１１９やレンズプロテクタ５０２がブリッジ構造体５０１に衝突してアクチュエータコイルやレンズを損傷する恐れがあるからである。
起動処理や調整処理が行われる際に、ピックアップ１０７の移動規制が規制手段１３３によって行われている場合には、規制範囲へのピックアップ１０７の移動は行われない。従って、規制範囲への移動処理が起動処理や調整処理に含まれている場合は、規制手段１３３によって規制範囲でない最外周付近に移動するように移動変更処理が行われる。
また、起動後に、移動が規制されている領域へのＳＥＥＫ命令や、読み取り命令が発行された場合には、規制手段１３３によって、実際のＳＥＥＫ動作を行わず、ＳＥＥＫエラーや、ＲＥＡＤエラーを返す動作処理を行う。
【００３９】
規格化されたＢＤの記録可能な光ディスク媒体１０１では、使用の前に予め交替領域を確保するためのフォーマット処理が必要である。規制手段１３３によってピックアップ１０７の移動が規制されている場合には、規制手段１３３から制御回路１２６への指示によって交替領域が規制範囲を含むようにフォーマット処理を行う。このフォーマット処理によって、ユーザーデータが規制領域に記録されないようにすることができる。また、規制領域によって、交替領域の容量が不足する場合には、大きめに交替領域を確保するように、規制手段１３３から制御回路１２６に指示を行うことが好ましい。更に、フォーマット処理時に、規制範囲に位置する交換領域のアドレスを、予め使用不可の領域として記録することで、規制範囲へのピックアップ１０７の移動が生じない。
本実施例では、ＢＤ専用カートリッジを識別するカートリッジ識別手段１３１を備えた場合を例に説明したが、カートリッジ識別手段１３１を備えない場合でも同様に実施可能である。その場合、カートリッジがＢＤ専用カートリッジか、通常ＤＶＤ−ＲＡＭカートリッジかを識別することができないので、ディスク判別手段１３２によって、カートリッジ入りのＢＤであると判別した場合や、専用カートリッジ入りでもカートリッジ専用ディスクではない場合には、上記と同様にピックアップ１０７の移動範囲を規制する処理を行えばよい。
【実施例４】
【００４０】
次に、本発明の光ディスク記録再生装置および光ディスク記録再生装置のピックアップ保護方法の更に他の実施例について図２，図３，図５から図８および図１１を用いて説明する。
実施例２と同一である各構成要素については説明を省略する。図１１は、本実施例の光ディスク記録再生装置がディスクを装着して起動処理が完了するまでの動作を示すフローチャートで、一連の動作は通常、ＣＰＵ１２７ａに予めプログラムされたソフトウエアにより実行される。
ＣＰＵ１２７ｂは、光ディスク媒体１０１の種類を判別するディスク判別手段１３２と、起動処理を停止する起動処理停止手段１３４とを有する。そして、ディスクカートリッジ検出手段１３０、カートリッジ識別手段１３１、及びディスク判別手段１３２のそれぞれの結果によって、起動処理停止手段１３４は制御回路１２６を介して起動処理を停止する。ディスク判別手段１３２では、作動距離により、又は作動距離だけでなく反射光量など他の要素も加味して光ディスク媒体１０１の種類を判別する。
本発明に直接関係ないので詳細な説明は省略するが、ディスク判別には、上記したディスクの規格毎の作動距離の違いによる反射光が検出される位置情報のみでなく、反射光の光量や各種サーボ信号なども用いられることは言うまでもない。
【００４１】
ステップ１にて、ディスク装着処理が行われる。ディスク装着処理は、光ディスク記録再生装置２０１のディスク装着手段１０２により行われる。光ディスク記録再生装置２０１は、ディスクローディング機構を備えており、図３に示すようにトレイ２０２上に光ディスク媒体１０１を直接載置してローディングする方法と、図２に示すようにディスクカートリッジ２０３内に入れた光ディスク媒体１０１をディスクカートリッジ２０３ごとトレイ２０２上に載置してローディングさせ、ＢＤ装置のローディング機構によりディスクカートリッジ２０３のシャッタ２０４を開閉させてディスク装着手段１０２によりターンテーブル１０４に装着する方法が可能になっており、カートリッジ無しの光ディスク媒体１０１、カートリッジ入りの光ディスク媒体１０１のいずれにも対応できる。
【００４２】
次に、ディスク判別手段１３２によってディスク判別処理が行われる（ステップ２）。ディスク判別を行う一つの方法として、たとえばＢＤと、ＤＶＤ、ＣＤとのカバー層の厚さの違いを用いる。制御回路１２６からの信号によって、ＣＤ、ＤＶＤレーザー制御回路１０８とＢＤレーザー制御回路１１３とを切り替えてレーザーを発光するとともに、フォーカス駆動回路１２２を駆動してフォーカスサーチを行う。そして、ＣＤ、ＤＶＤ用受光素子１２０又はＢＤ用受光素子１２１で検出した信号を信号処理回路１２５で処理し、ディスク判別手段１３２では信号処理回路１２５からの信号を用いて光ディスク媒体１０１の種類を判別する。
【００４３】
以下に具体的に説明する。
まず、ＢＤレーザー制御回路１１３によってＢＤレーザーを発光し、フォーカス駆動回路１２２によってレンズ架台１１５を駆動し、フォーカスサーチを行う。フォーカスサーチを行うと、ディスク表面と記録層との反射光を検出する。ＤＢの記録層は、１層の場合ではディスク表面から０．１ｍｍの位置、２層の場合ではディスク表面から０．０７５ｍｍと０．１ｍｍの位置にあり、ＣＤ、ＤＶＤの記録層は、ディスク表面から１．２ｍｍの位置にあり、ＤＶＤの記録層は、ディスク表面から０．６ｍｍの位置にある。
ＢＤの光学系は、作動距離が約０．３ｍｍで設計されている。従って、ＢＤレーザーでフォーカスサーチを行うと、レンズがディスクに衝突するまでサーチを行っても、光ディスク媒体１０１がＣＤ、ＤＶＤの場合には、ディスク表面の反射光しか検出しないため、ＢＤと、ＣＤ、ＤＶＤとの判別を行うことができる。
ＢＤレーザーでフォーカスサーチを行うことで、ＢＤと判別された場合には、その層数や、ＢＤ−Ｒ、−ＲＥ、−ＲＯＭの種別を判別する。ＢＤレーザーでフォーカスサーチを行うことで、ＣＤまたはＤＶＤと判別された場合は、ＣＤ、ＤＶＤレーザーでフォーカスサーチを行うことで、ＣＤまたはＤＶＤの区別やＤＶＤ規格のディスクの種類や層数（ＤＶＤ−Ｒ，−ＲＷ、＋Ｒ、＋ＲＷ、−ＲＡＭなど）、ＣＤ規格の種類（ＣＤ−ＲＯＭ、ＣＤ−Ｒ、ＣＤ−ＲＷ）を判別してそれぞれのディスク種別に最適なレーザー回路、信号処理系、内部ゲインが選択される。
【００４４】
次に、ステップ２で判別された光ディスク媒体の種類に合わせた回路選択に基づいてサーボＯＮが行われ、ディスク情報読み取り処理が行われる（ステップ２１）。
この際に読み取るディスク情報は、後述するカートリッジ専用ディスクであるか否かを判別するための最低限度のものでよい。ディスク情報は、一般的には物理情報であるディスク種別や層数などの情報、論理情報であるディスク容量やフォーマット種別などの情報があるが、ここでは、予めディスクに記録されている、ディスクカートリッジ内に入れられた光ディスク媒体１０１であることを示す何らかの情報を読み出せばよい。たとえば、データ領域の更に内側に記録される書き換え不可能なＢＣＡ（Ｂｕｒｓｔ  Ｃｕｔ  Ａｒｅａ）に記録された識別情報（レーザー光によりストライプ状に反射膜を除去することにより記録した情報）や、ＰＣＡ（Ｐｏｗｅｒ  Ｃａｒｉｂｒａｔｉｏｎ  Ａｒｅａ）などのディスク最内周付近の特殊な領域に記録された識別情報（専用ディスクであることを示す特殊文字列）を記録しておき、それを読み出すことで実現される。
【００４５】
そして、ディスク判別手段１３２によって作動距離の短い光ディスク媒体１０１であるか否かを判別する（ステップ３）。作動距離はディスク種別や光学系の設計により異なるが、一般にカバー層が０．１ｍｍと薄くＮＡ値の大きいＢＤは作動距離が約０．３ｍｍと非常に短く設計されており、これに比べてＣＤ、ＤＶＤは作動距離が０．５〜０．６ｍｍと比較的作動距離が長く設計されている。本実施例では、作動距離の短い光ディスク媒体１０１がＢＤであるとして説明する。
ステップ３で作動距離の短いＢＤであると判別した場合には、ディスクカートリッジ検出手段１３０によって、ディスクカートリッジ２０３入りの光ディスク媒体１０１か、ディスクカートリッジ２０３無しの光ディスク媒体１０１であるかを検出する（ステップ４）。ディスクカートリッジ２０３は、図２のようにトレイ２０２上に円形の光ディスク媒体１０１が載置される範囲外までの外形であるので、トレイ２０２上のディスク載置範囲外に物理的スイッチを設けることで、ディスクカートリッジ２０３の有無を検出することができる。この物理的スイッチの状態を、ＣＰＵ１２７ａにて検出する。ディスクカートリッジ２０３入りである場合には、カートリッジ識別手段１３１によって、このディスクカートリッジ２０３が作動距離の短いＢＤ専用カートリッジであるか否かを識別する。
【００４６】
ピックアップ１０７のレンズ架台１１５には、図６及び図７に示すように、一般的にはレンズ保護のために対物レンズ１１８、１１９よりも高い位置にレンズプロテクタ５０２が設けられている。また、対物レンズ１１８、１１９は、レンズ中心から周辺部まで一定の距離があり、ディスク最外周のデータを読み取る際には、対物レンズ１１８、１１９の外形やレンズプロテクタ５０２は、ディスク最外周よりも外側にはみ出すことになる。更に、光ディスク媒体１０１やターンテーブル１０４には面ブレがあり、合焦状態を維持するためにフォーカス駆動回路１２２を制御してレンズ架台１１５を上下動させることが必要である。
一方、ディスクカートリッジ２０３は、従来ＤＶＤ−ＲＡＭディスク用に設計されたものであり、作動距離０．３ｍｍという短いディスクを想定していないため、図５に示すように、一般的にディスク外周部外に相当する箇所に、構造補強のためのブリッジ構造体５０１を備えている。従って、ＤＶＤ−ＲＡＭ用ディスクカートリッジ入りのＢＤでは、光ディスク媒体１０１の最外周付近のデータを記録、再生する際には、面ブレが大きいと、このブリッジ構造体５０１に対物レンズ１１８、１１９やレンズプロテクタ５０２が衝突してしまう。また、ブリッジ構造体５０１は、単に薄くするだけでは必要な強度を得られなくなってしまう。
以上のことより、図７に示すように、ブリッジ構造体７０１は、レンズ架台１１５から遠ざかる方向にシフトした構造となっている。このＢＤ専用カートリッジは、ＤＶＤ−ＲＡＭ用ディスクカートリッジ（通常カートリッジ）との識別のためにトレイ２０２には専用カートリッジ検出孔が設けられており、専用カートリッジ検出孔に対応する位置にスイッチを設けることで専用カートリッジと通常カートリッジとを識別することができる。
【００４７】
本実施例では、カートリッジ識別手段１３１によって、カートリッジ有無スイッチが押された状態でかつ、専用カートリッジ検出孔に対応するスイッチが押されていない場合には専用カートリッジであると識別し、カートリッジ有無スイッチが押された状態でかつ、専用カートリッジ検出孔に対応するスイッチが押されている場合には通常ＤＶＤ−ＲＡＭカートリッジであると識別する。
通常ＤＶＤ−ＲＡＭカートリッジ入りのＢＤであると識別した場合や、専用カートリッジ入りであってもディスクが専用ディスクでないと識別した場合には、非対応のディスクとカートリッジの組み合わせが使用されているので、起動処理停止手段１３４によって起動処理を停止する処理を行う（ステップ１２）。
本実施例では、ＢＤ専用カートリッジを識別するカートリッジ識別手段１３１を備えた場合を例に説明したが、カートリッジ識別手段１３１を備えない場合でも同様に実施可能である。その場合、カートリッジがＢＤ専用カートリッジか、通常ＤＶＤ−ＲＡＭカートリッジかを識別することができないので、ディスク判別手段１３２によってカートリッジ入りのＢＤであると判別した場合で、かつカートリッジ専用ディスクでないと判別した場合には、ピックアップ１０７の損傷の可能性があるため、起動処理を停止する。
【産業上の利用可能性】
【００４８】
本発明にかかる光ディスク記録再生装置及び光ディスク記録再生装置のピックアップ保護方法は、装置に装着されたディスクが作動距離の短い光ディスク媒体であるか否か、ディスクカートリッジの有無、ディスクカートリッジが専用カートリッジか否かにより、ピックアップの移動範囲を規制したり、起動処理を停止することにより、ピックアップのカートリッジ構造体への接触による損傷を防止することができる。
【図１】
0005524204.tif 000002
【図２】
0005524204.tif 000003
【図３】
0005524204.tif 000004
【図４】
0005524204.tif 000005
【図５】
0005524204.tif 000006
【図６】
0005524204.tif 000007
【図７】
0005524204.tif 000008
【図８】
0005524204.tif 000009
【図９】
0005524204.tif 000010
【図１０】
0005524204.tif 000011
【図１１】
0005524204.tif 000012